(57)【要約】【課題】タービンの効率向上及び重量低減の両立を図りながら、トランジションダクト内の主流ガスの流れの剥離をより良好に抑制して、さらなるタービンの効率向上を図る。【解決手段】高圧タービンから低圧タービンへと流れる主流ガスが流通する環状のガス流路４０を形成するトランジションダクト３０において、ガス流路４０は、内周側流路面４１と、外周側流路面４２とを有し、内周側流路面４１及び外周側流路面４２は、高圧タービン（第１タービン）から低圧タービン（第２タービン）に向かうにしたがって、回転軸の軸方向に対する傾斜角Φ１、Φ２が変化しつつ径方向外側に延び、内周側最大傾斜部４１１は、軸方向において、外周側最大傾斜部４２１と並ぶ位置から、低圧タービン側にダクト長Ｌの２０％以下の長さ進んだ位置までの範囲Ａ２に設けられる。【選択図】図３
2018096330.tif 000002
【特許請求の範囲】
【請求項１】
第１タービンから第２タービンへと流れる主流ガスが流通する環状のガス流路を形成するトランジションダクトであって、
前記ガス流路は、前記第１タービン及び前記第２タービンの回転軸の中心側の内周側流路面と、前記内周側流路面の外周側に、前記内周側流路面と対向して設けられた外周側流路面とを有し、
前記内周側流路面及び前記外周側流路面は、前記第１タービンから前記第２タービンに向かうにしたがって、前記回転軸の軸方向に対する傾斜角が変化しつつ、前記回転軸の径方向外側に延び、
前記内周側流路面の前記傾斜角が最大となる内周側最大傾斜部は、前記軸方向において、前記外周側流路面の前記傾斜角が最大となる外周側最大傾斜部と並ぶ位置から、前記第２タービン側にダクト長の２０％以下の長さ進んだ位置までの範囲に設けられることを特徴とするトランジションダクト。
【請求項２】
前記外周側最大傾斜部は、前記軸方向において、ダクト入口から前記第２タービン側に前記ダクト長の５０％の長さ進んだ位置から、７０％以下の長さ進んだ位置までの範囲に設けられることを特徴とする請求項１に記載のトランジションダクト。
【請求項３】
ダクト出口における前記ガス流路の平均径とダクト入口における前記ガス流路の平均径との差分と、前記ダクト長との比は、１．５以上１．６以下であることを特徴とする請求項１または請求項２に記載のトランジションダクト。
【請求項４】
前記外周側最大傾斜部における前記傾斜角は、３５°以上４５°以下であることを特徴とする請求項１から請求項３のいずれか一項に記載のトランジションダクト。
【請求項５】
前記外周側最大傾斜部における前記傾斜角は、３５°以上４０°未満であることを特徴とする請求項１から請求項３のいずれか一項に記載のトランジションダクト。
【請求項６】
前記内周側流路面のダクト入口における前記傾斜角及び前記外周側流路面の前記ダクト入口における前記傾斜角は、０°であることを特徴とする請求項１から請求項５のいずれか一項に記載のトランジションダクト。
【請求項７】
第１タービンと、
前記第１タービンよりも低圧の第２タービンと、
前記第１タービンから前記第２タービンに流れる前記主流ガスが流通する前記ガス流路を形成する請求項１から請求項６のいずれか一項に記載のトランジションダクトと、
を備えることを特徴とするタービン。
【請求項８】
空気を圧縮する圧縮機と、
燃料を噴射すると共に、噴射された前記燃料と前記圧縮機で圧縮された空気とを混合させて燃焼させる燃焼器と、
前記燃料を燃焼させることで発生した前記主流ガスによって駆動する請求項７に記載のタービンと、
を備えることを特徴とするガスタービンエンジン。
【発明の詳細な説明】
【技術分野】
【０００１】
本発明は、トランジションダクト、タービン、及びガスタービンエンジンに関する。
【背景技術】
【０００２】
従来、高圧タービンから低圧タービンへと送られる主流ガスのガス流路を形成するトランジションダクトに関する技術が知られている。例えば、特許文献１には、半径方向内側の壁と半径方向外側の壁との間に流路を形成し、半径方向外側の壁の傾きが、トランジションダクトの上流端から所定の軸方向位置までは増加し、所定の軸方向位置から下流端までは減少するトランジションダクトが開示されている。
【先行技術文献】
【特許文献】
【０００３】
【特許文献１】米国特許出願公開第２０１４／００８６７３９号明細書
【発明の概要】
【発明が解決しようとする課題】
【０００４】
一般に、低圧タービンは高圧タービンよりも径が大きいため、トランジションダクトのガス流路の内面は、高圧タービン側から低圧タービン側に向かうにしたがって拡径するように、軸方向に対して傾斜しながら延びる。また、タービンの効率向上及び重量低減を図るためには、ガス流路を十分に拡径しつつ、ダクト長を短くしたい。その結果、ガス流路の内面の軸方向に対する傾斜角が大きくなり、ガス流路の内面から主流ガスの流れが剥離しやすくなるおそれがある。主流ガスの流れの剥離は、圧力損失の増加につながり、結果的にタービンの効率低下を招く。上記特許文献１に記載のトランジションダクトは、半径方向外側の壁の傾きをガス流路の途中までは増加させ、ガス流路の途中からは減少させることで、主流ガスの流れの剥離抑制を図っている。しかしながら、主流ガスの流れの剥離抑制は、さらに改善の余地がある。
【０００５】
本発明は、上記に鑑みてなされたものであって、タービンの効率向上及び重量低減の両立を図りながら、トランジションダクト内の主流ガスの流れの剥離をより良好に抑制して、さらなるタービンの効率向上を図ることを目的とする。
【課題を解決するための手段】
【０００６】
上述した課題を解決し、目的を達成するために、本発明は、第１タービンから第２タービンへと流れる主流ガスが流通する環状のガス流路を形成するトランジションダクトであって、前記ガス流路は、前記第１タービン及び前記第２タービンの回転軸の中心側の内周側流路面と、前記内周側流路面の外周側に、前記内周側流路面と対向して設けられた外周側流路面とを有し、前記内周側流路面及び前記外周側流路面は、前記第１タービンから前記第２タービンに向かうにしたがって、前記回転軸の軸方向に対する傾斜角が変化しつつ、前記回転軸の径方向外側に延び、前記内周側流路面の前記傾斜角が最大となる内周側最大傾斜部は、前記軸方向において、前記外周側流路面の前記傾斜角が最大となる外周側最大傾斜部と並ぶ位置から、前記第２タービン側にダクト長の２０％以下の長さ進んだ位置までの範囲に設けられることを特徴とする。
【０００７】
本発明のトランジションダクトは、軸方向において、内周側最大傾斜部を外周側最大傾斜部と並ぶ位置から、第２タービン側にダクト長の２０％以下の長さ進んだ位置までの範囲に配置する。これにより、内周側最大傾斜部によって、外周側最大傾斜部の近傍に、内周側から外周側へと向かう主流ガスの流れを形成することができるため、外周側最大傾斜部の周囲において、主流ガスが内周側に向って剥離することを抑制することができる。その結果、ガス流路の内面（内周側流路面及び外周側流路面）の傾斜角を全体として比較的に大きくしてガス流路の十分な拡径とダクト長の短縮化とを実現しつつ、ガス流路内で発生する圧力損失をより低減させることが可能となる。したがって、本発明のトランジションダクトによれば、タービンの効率向上及び重量低減の両立を図りながら、トランジションダクト内の主流ガスの流れの剥離をより良好に抑制して、さらなるタービンの効率向上を図ることができる。
【０００８】
また、前記外周側最大傾斜部は、前記軸方向において、ダクト入口から前記第２タービン側に前記ダクト長の５０％の長さ進んだ位置から、７０％以下の長さ進んだ位置までの範囲に設けられることが好ましい。これにより、外周側最大傾斜部をトランジションダクトの後半側に設け、外周側最大傾斜部に至るまでの外周側流路面の傾斜角の変化を比較的に緩やかにすることができるため、外周側流路面からの主流ガスの流れの剥離をさらに良好に抑制することが可能となる。
【０００９】
また、ダクト出口における前記ガス流路の平均径とダクト入口における前記ガス流路の平均径との差分と、前記ダクト長との比は、１．５以上１．６以下であることが好ましい。これにより、ガス流路の拡径量（上記差分）を確保しつつ、ダクト長の短縮化を図ることができる。また、このようにガス流路の十分な拡径とダクト長の短縮化を図った場合にも、本発明のトランジションダクトによれば、主流ガスの流れの剥離をより良好に抑制することができる。
【００１０】
また、前記外周側最大傾斜部における前記傾斜角は、３５°以上４５°以下であることが好ましい。これにより、外周側流路面の傾斜角を全体として比較的に小さくすることができるため、外周側流路面からの主流ガスの流れの剥離をさらに良好に抑制することが可能となる。
【００１１】
また、前記外周側最大傾斜部における前記傾斜角は、３５°以上４０°未満であることが好ましい。これにより、外周側流路面の傾斜角を全体として比較的に小さくすることができるため、外周側流路面からの主流ガスの流れの剥離をさらに良好に抑制することが可能となる。
【００１２】
また、前記内周側流路面のダクト入口における前記傾斜角及び前記外周側流路面の前記ダクト入口における前記傾斜角は、０°であることが好ましい。これにより、ダクト入口付近における主流ガスの流れの剥離をより良好に抑制することができる。
【００１３】
上述した課題を解決し、目的を達成するために、本発明のタービンは、第１タービンと、前記第１タービンよりも低圧の第２タービンと、前記第１タービンから前記第２タービンに流れる前記主流ガスが流通する前記ガス流路を形成する前記トランジションダクトと、を備えることを特徴とする。
【００１４】
上述した課題を解決し、目的を達成するために、本発明のガスタービンエンジンは、空気を圧縮する圧縮機と、燃料を噴射すると共に、噴射された前記燃料と前記圧縮機で圧縮された空気とを混合させて燃焼させる燃焼器と、前記燃料を燃焼させることで発生した前記主流ガスによって駆動する前記タービンと、を備えることを特徴とする。
【発明の効果】
【００１５】
本発明にかかるトランジションダクト、タービン、及びガスタービンエンジンは、タービンの効率向上及び重量低減の両立を図りながら、トランジションダクト内の主流ガスの流れの剥離をより良好に抑制して、さらなるタービンの効率向上を図ることができるという効果を奏する。
【図面の簡単な説明】
【００１６】
【図１】図１は、本発明の実施形態にかかるトランジションダクト、タービン及びガスタービンエンジンを示す概略構成図である。
【図２】図２は、実施形態にかかるトランジションダクトを示す断面図である。
【図３】図３は、実施形態にかかるトランジションダクトの内周側流路面及び外周側流路面のプロフィールを示す説明図である。
【図４】図４は、実施形態にかかるトランジションダクトの内周側流路面の軸方向に対する傾斜角及び外周側流路面の軸方向に対する傾斜角の変化を示す説明図である。
【図５】図５は、内周側最大傾斜部及び外周側最大傾斜部の位置をＸ＝０．４からＸ＝０．７の範囲で変化させた際に、ガス流路内で発生する主流ガスの流れの剥離領域の大きさを示す解析結果である。
【図６】図６は、外周側最大傾斜部の位置をＸ＝０．６で固定し、内周側最大傾斜部の位置をＸ＝０．４からＸ＝０．８５まで変化させた際の剥離領域の大きさの変化を示す解析結果である。
【図７】図７は、比較例としてのトランジションダクト内における主流ガスの流れのマッハ数分布を示す解析結果である。
【図８】図８は、実施形態にかかるトランジションダクト内における主流ガスの流れのマッハ数分布を示す解析結果である。
【発明を実施するための形態】
【００１７】
以下に、本発明にかかるトランジションダクト、タービン、及びガスタービンエンジンの実施形態を図面に基づいて詳細に説明する。なお、この実施形態によりこの発明が限定されるものではない。
【００１８】
図１は、本発明の実施形態にかかるトランジションダクト、タービン及びガスタービンエンジンを示す概略構成図である。実施形態にかかるガスタービンエンジン１０は、航空用ガスタービンエンジン（ジェットエンジン）である。図１に示すように、ガスタービンエンジン１０は、ファンケーシング１１と、本体ケーシング１２とを有する。ファンケーシング１１は、内部にファン１３を収容する。本体ケーシング１２は、内部に圧縮機１４と、燃焼器１５と、タービン１６とを収容する。圧縮機１４と、燃焼器１５と、タービン１６とは、回転軸２１の軸心Ｒの延在方向に沿って設けられている。
【００１９】
ファン１３は、回転軸２１の外周部に複数のファンブレード２２が装着されて構成されている。回転軸２１は、ファンケーシング１１および本体ケーシング１２に対して軸心Ｒの廻りに回転可能に支持されている。ファン１３は、回転軸２１の回転に伴って軸心Ｒの廻りに回転し、当該軸心Ｒに沿って本体ケーシング１２に空気を送る。
【００２０】
圧縮機１４は、空気の流れの上流側から下流側に配置された低圧コンプレッサ２３と高圧コンプレッサ２４とを有する。圧縮機１４は、低圧コンプレッサ２３と高圧コンプレッサ２４とにより空気を圧縮する。燃焼器１５は、圧縮機１４よりも空気の流れの下流側に位置し、回転軸２１の周りである周方向に沿って配置されている。燃焼器１５は、燃料を噴射すると共に、噴射された燃料と圧縮機１４で圧縮された空気とを混合させて燃焼させる。
【００２１】
タービン１６は、燃焼器１５より空気の流れの下流側に位置し、高圧タービン（第１タービン）２５と低圧タービン（第２タービン）２６とを有する。低圧タービン２６は、高圧タービン２５よりも、空気の流れの上流側から下流側に配置される。本実施形態において、低圧タービン２６は、高圧タービン２５よりも径が大きい。高圧タービン２５と低圧タービン２６との間には、高圧タービン２５から低圧タービン２６へと流れる主流ガス（燃焼ガス）が流通するガス流路４０（図２参照）を形成するトランジションダクト３０が配置されている。そして、ファン１３の回転軸２１と低圧コンプレッサ２３とが連結され、低圧コンプレッサ２３と低圧タービン２６とが回転軸２１と同軸上に配置された第一ロータ軸２７により連結されている。また、高圧コンプレッサ２４と高圧タービン２５とが、第一ロータ軸２７の外周側で、回転軸２１と同軸上に配置された円筒形状をなす第二ロータ軸２８により連結されている。つまり、高圧タービン２５及び低圧タービン２６は、回転軸２１の軸心Ｒを中心に回転する。
【００２２】
したがって、ファン１３により送られて圧縮機１４にて取り込まれた空気が、低圧コンプレッサ２３と高圧コンプレッサ２４における複数の静翼と動翼を通過して圧縮されることで高温・高圧の圧縮空気となる。そして、この圧縮空気に対して燃焼器１５にて燃料が供給され、作動流体である高温・高圧の燃焼ガスが生成される。この燃焼器１５で生成された燃焼ガスが、タービン１６を構成する高圧タービン２５における複数の静翼及び動翼を通過し、さらに、トランジションダクト３０のガス流路４０を介して低圧タービン２６へと送られ、低圧タービン２６の複数の静翼及び動翼を通過することで、回転力が発生する。それにより、低圧タービン２６の回転力が第一ロータ軸２７により低圧コンプレッサ２３に伝達されて駆動する。また、高圧タービン２５の回転力が第二ロータ軸２８により高圧コンプレッサ２４に伝達されて駆動する。また、低圧コンプレッサ２３の回転力が回転軸２１によりファン１３に伝達されて駆動する。その結果、タービン１６から排出される排気ガスにより推力を得ることができる。
【００２３】
次に、本発明の実施形態にかかるトランジションダクトについて説明する。図２は、実施形態にかかるトランジションダクトを示す断面図である。
【００２４】
トランジションダクト３０は、内筒部材３１と、外筒部材３２とを備える。内筒部材３１は、筒状の部材である。内筒部材３１は、高圧タービン２５及び低圧タービン２６の回転軸２１の軸心Ｒと同軸に配置される。内筒部材３１は、高圧タービン２５の最終段における動翼２５１の直後に設けられる。また、内筒部材３１は、低圧タービン２６の１段目の静翼２６１の直前に設けられ、静翼２６１を支持するシュラウド２６ａに接続される。外筒部材３２は、内筒部材３１の外側に当該内筒部材３１と同軸（回転軸２１の軸心Ｒと同軸）に配置された筒状部材である。外筒部材３２は、図示しない連結部材を介して内筒部材３１に連結される。外筒部材３２は、高圧タービン２５の動翼２５１の直後に設けられる。また、外筒部材３２は、低圧タービン２６の１段目の静翼２６１の直前に設けられ、静翼２６１を支持するシュラウド２６ａに接続される。
【００２５】
トランジションダクト３０のガス流路４０は、高圧タービン２５及び低圧タービン２６の回転軸である回転軸２１の中心（軸心Ｒ）側の内周側流路面４１と、内周側流路面４１の外周側に、内周側流路面４１と対向して設けられた外周側流路面４２とを有する。内周側流路面４１は、内筒部材３１の外周面により形成される。また、外周側流路面４２は、外筒部材３２の内周面により形成される。すなわち、ガス流路４０は、回転軸２１の軸心Ｒと同軸上に配置された内筒部材３１及び外筒部材３２により形成される。以下、回転軸２１の軸方向を「軸方向」といい、回転軸２１の径方向を「径方向」という。
【００２６】
図３は、実施形態にかかるトランジションダクトの内周側流路面及び外周側流路面のプロフィールを示す説明図である。図３の横軸は、トランジションダクト３０のダクト入口３０ａからの軸方向距離を示し、縦軸は、トランジションダクト３０の中心３０１（回転軸２１の軸心Ｒ。図２参照）からの径方向距離を示す。なお、図３の横軸及び縦軸は、トランジションダクト３０のダクト長Ｌによって除算することで、無次元化されている。以下の説明においては、ダクト入口３０ａからのダクト長Ｌのα％進んだ軸方向位置をＸ＝α／１００と記載する。つまり、以下の説明において、Ｘ＝０．０の位置は、トランジションダクト３０のダクト入口３０ａであり、Ｘ＝１．０の位置は、トランジションダクト３０のダクト出口３０ｂである。また、図３には、比較例としてのトランジションダクト５０のプロフィールを記載している。
【００２７】
また、図４は、実施形態にかかるトランジションダクトの内周側流路面の軸方向に対する傾斜角及び外周側流路面の軸方向に対する傾斜角の変化を示す説明図である。図４の横軸は、トランジションダクト３０のダクト入口３０ａからの軸方向距離を示し、縦軸は、内周側流路面４１の傾斜角Φ１及び外周側流路面４２の傾斜角Φ２の値を示す。図４の横軸も、トランジションダクト３０のダクト長Ｌによって除算することで、無次元化している。図４には、比較例としてのトランジションダクト５０について、内周側流路面５１の軸方向に対する傾斜角θ１及び外周側流路面５２の軸方向に対する傾斜角θ２の値を記載している。
【００２８】
ここで、ダクト入口３０ａは、トランジションダクト３０の高圧タービン２５側の開口端である。また、ダクト出口３０ｂは、トランジションダクト３０の低圧タービン２６側の開口端である。本実施形態において、ダクト出口３０ｂは、低圧タービン２６の静翼２６１とガス流路４０の平均径４０ｈに該当する位置を繋いだ線（図３における一点鎖線）が交わる位置である。ガス流路４０の平均径４０ｈは、トランジションダクト３０の中心３０１（図２参照）から、ガス流路４０の中心（内周側流路面４１と外周側流路面４２との中間位置）までの径方向距離である。また、トランジションダクト３０のダクト長Ｌは、ダクト入口３０ａからダクト出口３０ｂまでの軸方向距離である。
【００２９】
図３に示すように、ガス流路４０の内周側流路面４１は、高圧タービン２５から低圧タービン２６に向かうにしたがって、軸方向に対する傾斜角Φ１が変化しつつ、径方向外側に延びる。また、ガス流路４０の外周側流路面４２も、同様に、高圧タービン２５から低圧タービン２６に向かうにしたがって、軸方向に対する傾斜角Φ２が変化しつつ、径方向外側に延びる。つまり、ガス流路４０（トランジションダクト３０）は、高圧タービン２５側から低圧タービン２６側に向かうにしたがって、拡径する（平均径４０ｈが大きくなる）。トランジションダクト３０において、ダクト出口３０ｂにおけるガス流路４０の平均径４０ｈとダクト入口３０ａにおけるガス流路４０の平均径４０ｈとの差分Ｈ（ガス流路４０の拡径量）と、ダクト長Ｌとの比は、１．５以上１．６以下である。なお、比較例としてのトランジションダクト５０も、同様である。
【００３０】
実施形態にかかるトランジションダクト３０において、外周側流路面４２の傾斜角Φ２が最大となる外周側最大傾斜部４２１は、軸方向において、ダクト入口３０ａから低圧タービン２６側にダクト長Ｌの５０％の長さ進んだ位置から、７０％以下の長さ進んだ位置までの範囲Ａ１に設けられる。範囲Ａ１は、図３及び図４の横軸において、Ｘ＝０．５からＸ＝０．７までの範囲である。外周側最大傾斜部４２１は、Ｘ＝０．６の位置に設けられることがより好ましい。また、実施形態にかかるトランジションダクト３０において、外周側最大傾斜部４２１における傾斜角Φ２である最大傾斜角Φ２ｍａｘは、３５°以上４５°以下である。
【００３１】
また、実施形態にかかるトランジションダクト３０において、内周側流路面４１の傾斜角Φ１が最大となる内周側最大傾斜部４１１は、軸方向において、外周側最大傾斜部４２１と並ぶ位置から、低圧タービン２６側にダクト長Ｌの２０％以下の長さ進んだ位置までの範囲Ａ２に設けられる。本実施形態において、範囲Ａ２は、外周側最大傾斜部４２１がＸ＝０．５に位置する場合、Ｘ＝０．５からＸ＝０．７の範囲であり、外周側最大傾斜部４２１がＸ＝０．７に位置する場合、Ｘ＝０．７からＸ＝０．９の範囲である。内周側最大傾斜部４１１は、軸方向において、外周側最大傾斜部４２１と並ぶ位置から、低圧タービン２６側にダクト長Ｌの１０％の長さ進んだ位置に設けられることが、より好ましい。また、実施形態にかかるトランジションダクト３０において、内周側最大傾斜部４１１における傾斜角Φ１である最大傾斜角Φ１ｍａｘは、外周側最大傾斜部４２１における傾斜角Φ２である最大傾斜角Φ２ｍａｘよりも小さいものとされる（例えば、３０°以上４０°以下）。
【００３２】
また、図３及び図４に示すように、実施形態にかかるトランジションダクト３０において、内周側流路面４１のダクト入口３０ａにおける傾斜角Φ１及び外周側流路面４２のダクト入口３０ａにおける傾斜角Φ２は、０°である。つまり、内周側流路面４１及び外周側流路面４２は、ダクト入口３０ａの近傍において、軸方向と平行に延びる。
【００３３】
一方、図４に示すように、比較例としてのトランジションダクト５０において、内周側流路面５１の最大傾斜角θ１ｍａｘは、Ｘ＝０．７５の位置に設けられる。最大傾斜角θ１ｍａｘは、トランジクションダクト３０の内周側流路面４１の最大傾斜角Φ１ｍａｘよりも小さいものとされる。また、比較例としてのトランジションダクト５０において、外周側流路面５２の最大傾斜角θ２ｍａｘは、Ｘ＝０．２５の位置に設けられる。最大傾斜角θ２ｍａｘは、トランジクションダクト３０の外周側流路面４２の最大傾斜角Φ２ｍａｘよりも小さいものとされる。
【００３４】
次に、実施形態にかかるトランジションダクト３０によるガス流路４０内の主流ガスの流れの剥離抑制について、図面に基づいて説明する。図５は、内周側最大傾斜部及び外周側最大傾斜部の軸方向位置をＸ＝０．４からＸ＝０．７の範囲で変化させた際に、ガス流路内で発生する主流ガスの流れの剥離領域の大きさを示す解析結果である。図５の解析結果において、内周側最大傾斜部４１１及び外周側最大傾斜部４２１は、軸方向位置を同じとする。図５の横軸は、内周側最大傾斜部４１１及び外周側最大傾斜部４２１の軸方向位置を示す。図５の横軸は、トランジションダクト３０のダクト長Ｌによって除算することで、無次元化されている。図５の縦軸は、剥離領域の大きさである。「剥離領域の大きさ」は、ガス流路４０内において、平均径４０ｈよりも外周側流路面４２側で主流ガスの流れの全圧が最大となる位置から外周側流路面４２までの径方向距離である。ただし、図５の縦軸は、外周側最大傾斜部４２１の軸方向位置及び内周側最大傾斜部４１１の軸方向位置をＸ＝０．４とした場合の剥離領域の大きさを１．０として、値を無次元化している。
【００３５】
図示するように、内周側最大傾斜部４１１及び外周側最大傾斜部４２１の軸方向位置をＸ＝０．４から低圧タービン２６側（図中右側）へと変化させるにしたがって、剥離領域の大きさが徐々に減少する。剥離領域の大きさは、内周側最大傾斜部４１１及び外周側最大傾斜部４２１の軸方向位置がＸ＝０．６の近傍で最小となり、その後、内周側最大傾斜部４１１及び外周側最大傾斜部４２１の軸方向位置が低圧タービン２６側に向かうにしたがって徐々に増加する。これにより、内周側最大傾斜部４１１及び外周側最大傾斜部４２１の軸方向位置がＸ＝０．５からＸ＝０．７の範囲Ａ１において、剥離領域の大きさを比較的に小さくすることができることがわかる。すなわち、外周側最大傾斜部４２１をトランジションダクト３０の後半側（Ｘ＝０．５からＸ＝０．７の範囲Ａ１）に設けることにより、外周側最大傾斜部４２１に至るまでの外周側流路面４２の傾斜角Φ２の変化を比較的に緩やかにすることができる。その結果、外周側流路面４２からの主流ガスの流れ剥離を抑制することが可能となる。
【００３６】
次に、図６は、外周側最大傾斜部の軸方向位置をＸ＝０．６とし、内周側最大傾斜部の軸方向位置をＸ＝０．４からＸ＝０．８５まで変化させた際の剥離領域の大きさの変化を示す解析結果である。図６の横軸は、内周側最大傾斜部４１１の軸方向位置を示す。図６の横軸は、トランジションダクト３０のダクト長Ｌによって除算することで、無次元化されている。図６の縦軸は、剥離領域の大きさである。ただし、図６の縦軸は、内周側最大傾斜部４１１の位置をＸ＝０．４とした場合の剥離領域の大きさを１．０として、値を無次元化している。
【００３７】
図示するように、内周側最大傾斜部４１１の軸方向位置をＸ＝０．４から低圧タービン２６側へと変化させるにしたがって、剥離領域の大きさが徐々に減少する。剥離領域の大きさは、内周側最大傾斜部４１１の軸方向位置がＸ＝０．７近傍で最小となる。つまり、剥離領域の大きさは、軸方向において、内周側最大傾斜部４１１が外周側最大傾斜部４２１と並ぶ位置（ここでは、Ｘ＝０．６）から、低圧タービン２６側にダクト長Ｌの１０％の長さ進んだ位置（ここでは、Ｘ＝０．７）の近傍で最小となる。その後、剥離領域の大きさは、内周側最大傾斜部４１１の軸方向位置が低圧タービン２６側に向かうにしたがって徐々に増加する。これにより、内周側最大傾斜部４１１を、軸方向において、外周側最大傾斜部４２１と並ぶ位置から低圧タービン２６側にダクト長Ｌの２０％以下の長さ進んだ位置までの範囲Ａ２（ここでは、Ｘ＝０．６からＸ＝０．８までの範囲）に配置すれば、剥離領域の大きさを比較的に小さくすることができることがわかる。すなわち、内周側最大傾斜部４１１を範囲Ａ２に配置することで、図３に実線矢印で示すように、内周側最大傾斜部４１１によって、外周側最大傾斜部４２１の近傍に、内周側から外周側へと向かう主流ガスの流れを形成することができる。その結果、外周側最大傾斜部４２１の周囲において、主流ガスが内周側に向って剥離することを抑制することができる。
【００３８】
図７は、比較例としてのトランジションダクト内における主流ガスの流れのマッハ数分布を示す解析結果であり、図８は、実施形態にかかるトランジションダクト内における主流ガスの流れのマッハ数分布を示す解析結果である。図７及び図８において、色が濃い部分ほどマッハ数が低い。図７に示すように、比較例のトランジションダクト５０は、主流ガスの流れが高圧タービン２５側から低圧タービン２６側に向かうにしたがって、外周側流路面５２の近傍における主流ガスのマッハ数の値が低くなっていることがわかる。これは、外周側最大傾斜部５２１の近傍から低圧タービン２６側に向けて、外周側流路面５２から剥離する主流ガスの剥離領域が大きくなるためである。一方、実施形態にかかるトランジションダクト３０では、図８に示すように、比較例のトランジションダクト５０に比べて、外周側流路面４２の近傍において、マッハ数の低下が抑えられていることがわかる。このように、実施形態にかかるトランジションダクト３０によれば、比較例のトランジションダクト５０に比べて、外周側流路面４２から主流ガスの流れが剥離することを、より良好に抑制することができる。
【００３９】
以上説明したように、実施形態にかかるトランジションダクト３０は、軸方向において、内周側最大傾斜部４１１を外周側最大傾斜部４２１と並ぶ位置から、低圧タービン２６側にダクト長Ｌの２０％以下の長さ進んだ位置までの範囲Ａ２に配置する。これにより、内周側最大傾斜部４１１によって、外周側最大傾斜部４２１の近傍に、内周側から外周側へと向かう主流ガスの流れを形成することができるため、外周側最大傾斜部４２１の周囲において、主流ガスが内周側に向って剥離することを抑制することができる。その結果、ガス流路４０の内面（内周側流路面４１及び外周側流路面４２）の傾斜角Φ１、Φ２を全体として比較的に大きくしてガス流路４０の十分な拡径とダクト長Ｌの短縮化とを実現しつつ、ガス流路４０内で発生する圧力損失をより低減させることが可能となる。したがって、実施形態にかかるトランジションダクト３０、タービン１６及びガスタービンエンジン１０によれば、タービン１６の効率向上及び重量低減の両立を図りながら、トランジションダクト３０内の主流ガスの流れの剥離をより良好に抑制して、さらなるタービン１６の効率向上を図ることができる。
【００４０】
また、外周側最大傾斜部４２１は、軸方向において、ダクト入口３０ａから低圧タービン２６側にダクト長Ｌの５０％の長さ進んだ位置から、７０％以下の長さ進んだ位置までの範囲Ａ１に設けられる。これにより、外周側最大傾斜部４２１をトランジションダクト３０の後半側に設け、外周側最大傾斜部４２１に至るまでの外周側流路面４２の傾斜角Φ２の変化を比較的に緩やかにすることができるため、外周側流路面４２からの主流ガスの流れの剥離をさらに良好に抑制することが可能となる。なお、外周側最大傾斜部４２１は、範囲Ａ２以外に設けられてもよい。
【００４１】
また、ダクト出口３０ｂにおけるガス流路４０の平均径４０ｈとダクト入口３０ａにおけるガス流路４０の平均径４０ｈとの差分Ｈと、ダクト長Ｌとの比は、１．５以上１．６以下である。これにより、ガス流路４０の拡径量（上記差分Ｈ）を確保しつつ、ダクト長Ｌの短縮化を図ることができる。また、このようにガス流路４０の十分な拡径とダクト長Ｌの短縮化を図った場合にも、本実施形態にかかるトランジションダクト３０によれば、主流ガスの流れの剥離をより良好に抑制することができる。なお、差分Ｈと、ダクト長Ｌとの比は、１．５以上１．６以下に限られない。
【００４２】
また、外周側最大傾斜部４２１における傾斜角Φ２（最大傾斜角Φ２ｍａｘ）は、３５°以上４５°以下である。これにより、外周側流路面４２の傾斜角Φ２を全体として比較的に小さくすることができるため、外周側流路面４２からの主流ガスの流れの剥離をさらに良好に抑制することが可能となる。なお、最大傾斜角Φ２ｍａｘは、３５°以上４５°以下に限られない。
【００４３】
また、外周側最大傾斜部４２１における傾斜角Φ２（最大傾斜角Φ２ｍａｘ）は、３５°以上４０°未満であってもよい。これにより、外周側流路面４２の傾斜角Φ２を全体として比較的に小さくすることができるため、外周側流路面４２からの主流ガスの流れの剥離をさらに良好に抑制することが可能となる。
【００４４】
また、内周側流路面４１のダクト入口３０ａにおける傾斜角Φ１及び外周側流路面４２のダクト入口３０ａにおける傾斜角Φ２は、０°である。これにより、ダクト入口３０ａ付近における主流ガスの流れの剥離をより良好に抑制することができる。なお、ダクト入口３０ａにおける傾斜角Φ１及び傾斜角Φ２は、０°よりも大きくてもよい。
【００４５】
なお、本実施形態では、ガスタービンエンジン１０に本発明のトランジションダクト及びタービンを適用するものとしたが、本発明は、蒸気タービンエンジンに適用されてもよい。
【符号の説明】
【００４６】
１０  ガスタービンエンジン
１１  ファンケーシング
１２  本体ケーシング
１３  ファン
１４  圧縮機
１５  燃焼器
１６  タービン
２１  回転軸
２２  ファンブレード
２３  低圧コンプレッサ
２４  高圧コンプレッサ
２５  高圧タービン
２５１  動翼
２６  低圧タービン
２６ａ  シュラウド
２６１  静翼
２７  第一ロータ軸
２８  第二ロータ軸
３０、５０  トランジションダクト
３０ａ  ダクト入口
３０ｂ  ダクト出口
３０１  中心
３１  内筒部材
３２  外筒部材
４０  ガス流路
４０ｈ  平均径
４１、５１  内周側流路面
４１１  内周側最大傾斜部
４２、５２  外周側流路面
４２１  外周側最大傾斜部
Ｌ  ダクト長
Ｒ  軸心
θ１、θ２、Φ１、Φ２  傾斜角
Φ１ｍａｘ、Φ２ｍａｘ、θ１ｍａｘ、θ２ｍａｘ  最大傾斜角
【図１】
2018096330.tif 000003
【図２】
2018096330.tif 000004
【図３】
2018096330.tif 000005
【図４】
2018096330.tif 000006
【図５】
2018096330.tif 000007
【図６】
2018096330.tif 000008
【図７】
2018096330.tif 000009
【図８】
2018096330.tif 000010